(57)【特許請求の範囲】
【請求項１】
建物の外窓の室内側に設けられる内窓を備える二重窓であって、
前記内窓が備える内窓枠と、
前記内窓が設けられる開口の下内面に取り付けられて前記内窓枠が粘着部材により取り付けられるアタッチメントと、
前記内窓枠と前記アタッチメントとの間に介在され、前記粘着部材を囲む水密材と、
を備えていることを特徴とする二重窓。
【請求項２】
請求項１に記載の二重窓であって、
前記水密材は、前記粘着部材の周りに環状に繋がっていることを特徴とする二重窓。
【請求項３】
請求項１または請求項２に記載の二重窓であって、
前記粘着部材は、互いに間隔をあけて複数設けられており、
前記水密材は、前記粘着部材毎に設けられていることを特徴とする二重窓。
【請求項４】
請求項３に記載の二重窓であって、
前記内窓枠は、当該内窓枠に装着される障子が案内されるレール及び前記レールが突出している下枠本体を備える下枠を有し、
前記アタッチメントは、前記下枠本体が収容され下方に窪む凹部を有し、
前記凹部内において互いに隣り合う前記水密材の間の空隙が前記凹部に浸入した水の流路をなすことを特徴とする二重窓。
【発明の詳細な説明】
【技術分野】
【０００１】
本発明は、外窓の室内側に設けられる内窓を備える二重窓に関する。
【背景技術】
【０００２】
外窓の室内側に設けられる内窓を備える二重窓としては、例えば浴室の開口部に設けられた外窓の内側に内窓が設置されている二重窓が知られている（特許文献１参照）。内窓の枠体を構成する下枠は、プレート部材と、プレート部材の上に載置されるレール部材とにより構成されており、プレート部材の下面に配置された接着テープにより取り付けられた下枠アタッチメントを介して下額縁に対して固定されている。
【先行技術文献】
【特許文献】
【０００３】
【特許文献１】特許第５７０５３６０号公報
【発明の概要】
【発明が解決しようとする課題】
【０００４】
上記のように二重窓が浴室仕様の場合には、プレート部材と下枠アタッチメントとの間に水が浸入しやすいので、接着テープ等の粘着部材に水が至らないように下枠アタッチメントとプレート部材との境界部分にはシーリングが施されている。このとき、下枠のプレート部材を固定する粘着部材が下枠の全長にわたって設けられている場合には、下枠アタッチメントとプレート部材との境界部分を全てシーリングしなければならず作業が煩雑である。また、シーリングに不備があった場合には、粘着部材が水に濡れて保持力が低下するばかりか、下枠アタッチメントとプレート部材との間に浸入した水を排出することができないという課題がある。
本発明は、かかる課題に鑑みてなされたものであり、その目的とするところは、内窓枠を固定する粘着部材が水に濡れにくい二重窓を提供することにある。
【課題を解決するための手段】
【０００５】
かかる目的を達成するために本発明の二重窓は、建物の外窓の室内側に設けられる内窓を備える二重窓であって、前記内窓が備える内窓枠と、前記内窓が設けられる開口の下内面に取り付けられて前記内窓枠が粘着部材により取り付けられるアタッチメントと、前記内窓枠と前記アタッチメントとの間に介在され、前記粘着部材を囲む水密材と、を備えていることを特徴とする二重窓である。
【０００６】
このような二重窓によれば、開口の下内面にアタッチメントを介して取り付けられる内窓枠は、アタッチメントに取り付けている粘着部材が水密材に囲まれているので、たとえ、アタッチメントと内窓枠との間に水が浸入したとしても粘着部材に水が至ることを防止することが可能である。このため、内窓枠を固定する粘着部材が水に濡れにくい二重窓を提供することが可能である。
【０００７】
かかる二重窓であって、前記水密材は、前記粘着部材の周りに環状に繋がっていることが望ましい。
このような二重窓によれば、水密材は、粘着部材の周りに環状に繋がっているので、粘着部材がアタッチメントと内窓枠との間に浸入した水に濡れることをより確実に防止することが可能である。
【０００８】
かかる二重窓であって、前記粘着部材は、互いに間隔をあけて複数設けられており、前記水密材は、前記粘着部材毎に設けられていることが望ましい。
このような二重窓によれば、粘着部材を囲む水密材は、複数の粘着部材の各々に設けられているので、内窓枠とアタッチメントとの隙間を全長にわたってシールするより施工が容易である。
【０００９】
かかる二重窓であって、前記内窓枠は、当該内窓枠に装着される障子が案内されるレール及び前記レールが突出している下枠本体を備える下枠を有し、前記アタッチメントは、前記下枠本体が収容され下方に窪む凹部を有し、前記凹部内において互いに隣り合う前記水密材の間の空隙が前記凹部に浸入した水の流路をなすことが望ましい。
【００１０】
このような二重窓によれば、複数の粘着部材を各々囲む水密材は、凹部内において互いに隣り合う水密材の間の空隙を浸入した水が流れるので、凹部に浸入した水を容易に排出することが可能である。
【発明の効果】
【００１１】
本発明によれば、内窓枠を固定する粘着部材が水に濡れにくい二重窓を提供することが可能である。
【図面の簡単な説明】
【００１２】
【図１】本実施形態に係る二重窓の縦断面図である。
【図２】本実施形態に係る二重窓の横断面図である。
【図３】内窓の下部を示す縦断面図である。
【図４】内窓の下枠と縦枠との納まりを示す斜視図である。
【図５】下枠とアタッチメントとの間に設けられている両面テープと水密材を示す斜視図である。
【図６】下枠に設けられている両面テープと水密材を示す斜視図である。
【図７】両面テープ及び水密材の配置の一例を示す図である。
【発明を実施するための形態】
【００１３】
以下、本発明の一実施形態に係る二重窓について図面を参照して説明する。
本実施形態の二重窓１は、例えば、建物１０の浴室に設けられており、図１、図２に示すように、外窓２と、外窓２の室内側に設けられる内窓３とを有している。
内窓３は、外窓２より室内側にて開口１０ａを形成している矩形状の額縁４にアタッチメント５を介して取り付けられている。
【００１４】
以下の説明においては、建物１０に取り付けられた状態の二重窓１において上下となる方向を上下方向、二重窓１が設けられている開口１０ａにおいて室内外方向となる方向を見込み方向、見込み方向と直交し内窓３に向かって左右となる方向を左右方向として示す。二重窓１の各部位であっても、また、二重窓１を構成する各部材については単体の状態であっても、建物１０に取り付けられた状態にて上下方向、見込み方向、左右方向となる方向にて方向を特定して説明する。また、開口１０ａに設けられる外窓２の矩形状をなす外窓枠と内窓３の矩形状をなす内窓枠３０は、開口１０ａの中央側を内周側、額縁４の外側を外周側として説明する。
【００１５】
アタッチメント５は、図３〜図５に示すように、室外側に額縁４と対向し矩形状に囲まれた内周側が平面５１ａをなす室外平面部５１と、室外平面部５１の室内側に設けられ、室外平面部５１の平面５１ａより外周側に窪み、後述する内窓枠３０が収容される凹部５２と、を有している。
【００１６】
室外平面部５１は、額縁４の室外側の端部４ａ上に、外窓２が備える外窓枠２１の室内側の端部２１ａとともに室外側の端部５１ｂが重ねられ、開口１０ａの下内面４ａをなす額縁４及び外窓枠２１の端部４ａ、２１ａを貫通するビスにて躯体６に固定されている。
【００１７】
凹部５２は、額縁４の内周面と対面させて当接される底部５２ａと、底部５２ａの見込み方向における室内側の縁から上方に立ち上がった内壁部５２ｂと、底部５２ａの見込み方向における室外側の縁から上方に立ち上がり室外平面部５１の室内側の縁と繋がった外壁部５２ｃと、外壁部５２ｃの上縁から室外平面部５１の平面５１ａと繋がって室内側に突出された突起５２ｄと、を有している。図４に示すように、内壁部５２ｂと突起５２ｄとは、左右方向における両端部には設けられておらず、内壁部５２ｂと突起５２ｄとが設けられている部位が内壁切欠部５２ｅと突起切欠部５２ｆとをなしている。
【００１８】
内窓３は、矩形状をなす額縁４に設けられる内窓枠３０と、内窓枠３０に装着されて内窓枠３０内側を左右方向にスライドして開閉可能な２枚の障子３１と、を有する引き違い窓である。
【００１９】
各々の障子３１は、ガラス３２と、ガラス３２の周端部を収容する矩形状の框体３３とを有している。框体３３が有する下框３３ａには、内窓枠３０を構成する下枠３４が有する下レール３４ｂが挿入されるレール挿入部３３ｂが設けられ、レール挿入部３３ｂ内には、回動自在な車輪を備えて障子３１をスライド可能に支持する戸車３３ｃが設けられている。
【００２０】
下枠３４は、アタッチメント５の凹部５２に収容される下枠本体部３４ａと、下枠本体部３４ａから上方に突出し、左右方向に沿うとともに平行に設けられた２本の下レール３４ｂと、を有している。下レール３４ｂにおいて、２枚の障子３１を閉じたときに戸先側となる端部は、下枠本体部３４ａの端部まで設けられているが、他方側の端部は、下枠本体部３４ａの端部まで設けられておらずレール切欠部３４ｃが設けられている。
【００２１】
下枠本体部３４ａは、凹部５２に収容されたときに、室外平面部５１の平面５１ａとほぼ同一平面をなす本体平面部３４ｄを有しており、本体平面部３４ｄの見込み方向における室内側の端部３４ｅがアタッチメント５の内壁部５２ｂの上縁と近接し、見込み方向における室外側の端部３４ｆがアタッチメント５の突起５２ｄの先端と近接するように構成されている。
【００２２】
また、本体平面部３４ｄの見込み方向における両端部は下方に向かって互いに近づく方向に湾曲しつつ延出された湾曲延出部３４ｇを有しており、湾曲延出部３４ｇの下端がアタッチメント５の底部５２ａに当接して凹部５２内に下枠３４が収容されている。このため、本体平面部３４ｄは、アタッチメント５の底部５２ａと上下方向に間隔をあけて位置している。
【００２３】
図５〜図７に示すように、本体平面部３４ｄの下面において、上面側に設けられた２本の下レール３４ｂの間に位置する領域には、左右方向に沿い全長にわたる突部３４ｈが設けられており、突部３４ｈには、左右方向において適宜間隔をあけて粘着部材としての両面テープ７が複数設けられている。また、本体平面部３４ｄの下面には、各両面テープ７を囲む水密材８が設けられている。水密材８は、軟質の合成樹脂でなり、例えば、水密性を有する素材シートから、プレス加工により矩形状に打ち抜かれて、環状に繋がるように形成されている。また、水密材８は、両面テープ７とともに配置されたときに、突部３４ｈと重なる部位に窪みが設けられている。
【００２４】
また、本体平面部３４ｄの下面から突部３４ｈが突出している突出量に両面テープ７の厚みを加えた高さは、本体平面部３４ｄの下面から湾曲延出部３４ｇの上下方向における高さとほぼ同じ高さに形成されている。また、水密材８の厚みは、本体平面部３４ｄの下面から突部３４ｈが突出している突出量に両面テープ７の厚みを加えた高さより僅かに厚く形成されている。このため、下枠３４をアタッチメント５の凹部５２に収容して両面テープ７にて下枠３４をアタッチメント５に貼り付けると、下枠３４とアタッチメント５との間に介在される水密材８は圧縮されて両面テープ７の周りを全周に渡ってシールするように構成されている。このとき、互いに隣り合う水密材８間は間隔があけられており、下枠３４とアタッチメント５との間においては、互いに隣り合う水密材８間に空隙が形成されている。
【００２５】
内窓枠３０を構成し下枠３４の左右の端部に当接される左右の縦枠３５には、室内側の縁及び室外側の縁にそれぞれ、左右方向において互いに対向する側に突出する内突出壁３５ａ及び外突出壁３５ｂが各々設けられている。そして、下枠３４は、左右の縦枠３５が有する内突出壁３５ａと外突出壁３５ｂとの間に端部が挿入された状態でアタッチメント５に固定される。このため、内突出壁３５ａは、見込み方向において下枠３４の室内側に位置し、外突出壁３５ｂは、見込み方向において下枠３４の室外側に位置している。
【００２６】
そして、アタッチメント５の凹部５２に下枠３４及び左右の縦枠３５の下端部が収容されると、外突出壁３５ｂが、アタッチメント５の左右端部における突起切欠部５２ｆに配置され、内突出壁３５ａが、アタッチメント５の左右端部における内壁切欠部５２ｅに配置される。このとき、内壁切欠部５２ｅの左右方向の幅は、内突出壁３５ａの突出量より広く形成されているため、内壁切欠部５２ｅの内突出壁３５ａより中央側には、内壁切欠部５２ｅにおいて内突出壁３５ａが配置されない部位が設けられており、アタッチメント５と下枠３４との間の空隙と外部とが連通されている。
【００２７】
本実施形態の二重窓１によれば、額縁４にアタッチメント５を介して取り付けられる内窓枠３０は、アタッチメント５に下枠３４を取り付けている両面テープ７が水密材８に囲まれているので、たとえ、アタッチメント５と下枠３４との間に水が浸入したとしても両面テープ７が水で濡れることを防止することが可能である。このため、アタッチメント５に下枠３４との間に水が浸入したとしても両面テープ７の粘着力が低下しないので、下枠３４をより確実に保持しておくことが可能である。
【００２８】
また、水密材８は、両面テープ７の周りに環状に繋がっているので、アタッチメント５と下枠３４との間に浸入した水が両面テープ７と接触することをより確実に防止することが可能である。
【００２９】
また、両面テープ７を囲む水密材８は、左右方向に適宜間隔を開けて設けられた複数の両面テープ７の各々に設けられているので、下枠３４とアタッチメント５との隙間を全長にわたってシールする場合より施工が容易であり、シールするために使用する材料も少ないのでコストを低減することが可能である。
【００３０】
また、複数の両面テープ７を各々囲む水密材８は、凹部５２内において本体平面部３４ｄと底部５２ａとの間にて、互いに隣り合う水密材８同士の間に間隔があけられている。このため、互いに隣り合う水密材８同士の間には空隙が形成され、この空隙は、図５に示すように、本体平面部３４ｄと底部５２ａとの間に浸入した水が流れる流路Ｒとなる。このため、水密材８により、凹部５２に浸入した水の流路Ｒが遮られることはない。
【００３１】
また、下枠の内壁部５２ｂは、左右方向における両端部に設けられた内壁切欠部５２ｅにおいて内突出壁３５ａが配置されない部位にて、アタッチメント５と下枠３４との間の空隙と外部とが連通しているので、凹部５２に浸入した水を流路Ｒから内壁切欠部５２ｅを通してより確実に排出することが可能である。
【００３２】
上記実施形態においては、引き違い障子を備えた内窓を有する二重窓１について説明したが、これに限らず、例えば、アタッチメントを介して下枠が設けられる内窓であれば構わない。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  二重窓、２  外窓、３  内窓、４  額縁、４ａ  開口の下内面、
５  アタッチメント、７  両面テープ、８  水密材、１０  建物、１０ａ  開口、
３０  内窓枠、３１  障子、３４  下枠、３４ａ  下枠本体部、３４ｂ  下レール、
５２  凹部、Ｒ  流路
【図１】
0006515016.tif 000002
【図２】
0006515016.tif 000003
【図３】
0006515016.tif 000004
【図４】
0006515016.tif 000005
【図５】
0006515016.tif 000006
【図６】
0006515016.tif 000007
【図７】
0006515016.tif 000008